(57)【要約】【課題】電源装置とこの電源装置が作動用の電力を供給する電子機器とがハーネスを介して接続されている場合、ハーネスが長尺になると、ハーネスでの電圧降下が無視できなくなる。この場合、抵抗値の小さな配線を用いてハーネスを形成することも考えられるが、ハーネスが高価になる。また、電源装置の出力電圧を電圧降下分だけ昇圧すると、電流値が小さくハーネスでの電圧降下が小さい状態でも昇圧された電圧が電子機器に印加され、望ましくない。【解決手段】ハーネスに流れる電流値を検知し、その電流値が多い場合に電源装置の出力電圧を昇圧補正することとした。【選択図】  図２
2019004554.tif 000002
【特許請求の範囲】
【請求項１】
ハーネスで接続される電子機器に電力を供給する電源装置であって、出力電圧を一定の電圧値に保持する電圧保持部を有するものにおいて、出力する電流値を検知する電流検知部を備え、この電流検知部が検知する電流値の増加に伴って、上記電圧保持部の出力電圧を昇圧する補正を行う昇圧補正部を設けたことを特徴とする電源装置。
【請求項２】
上記電圧保持部はシャントレギュレータを備えており、上記昇圧補正部は、このシャントレギュレータのリファレンス端子に入力されるリファレンス電圧（基準電圧）を生成する分圧抵抗の分圧比を変更することによって出力電圧を昇圧補正することを特徴とする請求項１に記載の電源装置。
【請求項３】
上記昇圧補正部は、所定の電圧分を１段階昇圧させる機能を有しており、上記電流検知部が検知する電流値が所定の電流値を超えると、昇圧補正部によって出力電圧が１段階昇圧されることを特徴とする請求項１または請求項２に記載の電源装置。
【発明の詳細な説明】
【技術分野】
【０００１】
本発明は、浴室テレビなどに用いられ、セパレート式のモニタ部などの電子機器にハーネスを介して電力を供給する電源装置に関する。
【背景技術】
【０００２】
従来のこの種の電源装置としては、スイッチング電源が用いられ、２次側にシャントレギュレータが内蔵されて、１次側の電圧が変動しても出力電圧は変動せずに安定した電圧で電力が出力されるように構成されている（例えば、特許文献１参照）。
【先行技術文献】
【特許文献】
【０００３】
【特許文献１】特開２０１４−１９３０１８号公報（図２）
【発明の概要】
【発明が解決しようとする課題】
【０００４】
例えば浴室用テレビの場合、画面が大型化する傾向があり、近年の浴室用テレビは大画面のものが製造されている。ただし、画面が大型化すると、バックライトからの発熱量の増加や、ケースの薄型化の要請などから、浴室内に設置されるモニタ部分に電源部を組み込むことが困難になっている。
【０００５】
そこで、電源部とモニタ部とを分離して、電源部を電源装置として独立させ、この電源装置とモニタ部とをハーネスを介して接続して、電源装置からの出力電力を、ハーネスを介してモニタ部に供給する構成が採用されている。このような構成では、電源装置の設置位置によっては電源装置とモニタ部との距離が離れ、長尺のハーネスを用いなければならない場合が生じる。
【０００６】
ところが、長尺のハーネスを用いると、ハーネスが有する電気抵抗によって出力電圧がハーネスに分圧され、出力された電圧がそのままモニタ部に印加されないという不具合が生じる。このような不具合を解消するには、例えば、電気抵抗の低い導線を用いたハーネスで電源装置とモニタ部とを接続し、ハーネスでの分圧を少なくすればよい。ところが、電気抵抗の低い導線は高価であり、そのような高価な導線で長尺のハーネスを作成すると、ハーネスのコストが従来のものよりも格段に高くなる。
【０００７】
他の解消手段として、電源装置から出力される際の電圧を、ハーネスでの電圧降圧分を見越して高く設定することも考えられる。ところが、ハーネスでの電圧降下分はハーネスの電流値に比例するので、モニタ部が大電力を消費する状態に合わせて電源装置の出力電圧を高く設定すると、モニタ部が待機状態などの消費電力が少ない状態ではハーネスでの電圧降下も少ない。そのため、電流が少ない状態ではモニタ部に設定されている適正な入力電圧より高い電圧がモニタ部に入力されることになり、モニタ部の作動上、望ましくない。
【０００８】
そこで本発明は、上記の問題点に鑑み、電源装置から長尺のハーネスを介して電子機器に電力を供給する際に、ハーネスでの電圧降下の影響を受けることなく一定の電圧の電力を電子機器に供給することのできる電源装置を提供することを課題とする。
【課題を解決するための手段】
【０００９】
上記課題を解決するために本発明による電源装置は、ハーネスで接続される電子機器に電力を供給する電源装置であって、出力電圧を一定の電圧値に保持する電圧保持部を有するものにおいて、出力する電流値を検知する電流検知部を備え、この電流検知部が検知する電流値の増加に伴って、上記電圧保持部の出力電圧を昇圧する補正を行う昇圧補正部を設けたことを特徴とする。
【００１０】
ハーネスでの電圧降下量はハーネスの電流値に比例する。そこで、ハーネスに流れる電流値を検知して、電流値が多くなることによってハーネスでの電圧降下量が増加すると、出力電圧を昇圧する補正を行うことによって、電子機器に到達した時点の電圧が電子機器の設定入力電圧になるようにした。
【００１１】
なお、出力電圧の制御をシャントレギュレータで行っている場合がある。その場合には、上記昇圧補正部は、このシャントレギュレータのリファレンス端子に入力されるリファレンス電圧（基準電圧）を生成する分圧抵抗の分圧比を変更することによって、出力電圧を昇圧補正する。
【００１２】
なお、ハーネスに流れる電流値の増加に対して無段階に出力電圧を昇圧補正してもよいが、装置が複雑になりコストが高くなる。一方、電子機器側では入力電圧のある程度の変動は許容される場合が多い。そこで、上記昇圧補正部は、所定の電圧分を１段階昇圧させる機能を有しており、上記電流検知部が検知する電流値が所定の電流値を超えると、昇圧補正部によって出力電圧が１段階昇圧されるように構成してもよい。
【発明の効果】
【００１３】
以上の説明から明らかなように、本発明は、電源装置と電子機器とを接続するハーネスでの電圧降下を補正することができるので、従来のハーネスよりも長いハーネスを使用することができる。
【図面の簡単な説明】
【００１４】
【図１】本発明の一実施の形態の構成を示すブロック図
【図２】電源装置の２次側の構成を示す回路図
【発明を実施するための形態】
【００１５】
図１を参照して、１は本発明による電源装置の一例であり、この電源装置１は電源装置１の設置場所から離れた位置に設置される浴室用テレビのモニタ部２に、ハーネス４を介して接続されている。このモニタ部２内には電源部及びチューナ部を備えていない。そのため上記電源装置１から所定の定格電圧の直流電力の供給を受けるほか、映像信号および音声信号をチューナ部３から同じくハーネス４を介して受信するように構成されている。なお、１１は外部の商用電源であり、１２はハーネス４が接続されるコネクタである。
【００１６】
図２を参照して、本図は電源装置１に内蔵されるスイッチング電源の２次側の回路を示している。上述のように、モニタ部２に対してコネクタ１２から所定の電圧の直流電力を出力するが、その出力電力の電流値は抵抗１３の両端電圧となる。すなわち、抵抗１３を流れる電流値が多くなれば抵抗１３の両端電圧が高くなり、逆に電流値が少なくなれば両端電圧は低くなる。そして、抵抗１３の両端電圧から、供給されている電流値を検知する電流検知部５を設けた。
【００１７】
この電流検知部５にはコンパレータ５１が設けられており、抵抗１３を流れる電流値が予め設定されている所定の電流値を超えると、コンパレータ５１の出力５２がオープンに切り替わる。コンパレータ５１の出力５２がオープンになるとＦＥＴ（ＮチャネルＭＯＳＦＥＴ）６１がオンとなる。
【００１８】
このＦＥＴ６１は昇圧補正部６内に設けられている。スイッチング電源は出力電圧を一定に保持するため、シャントレギュレータ１７を用いている。このシャントレギュレータ１７はリファンレンス端子（ＲＥＦ）につながる分圧点１６の電圧（リファレンス電圧、基準電圧）によってフォトカプラのＬＥＤ１８に一定の電流を流す。このＬＥＤ１８には図外の１次側にフォトカプラとして対をなすフォトトランジスタが設けられており、同じく図外の制御ＩＣのフィードバック端子にそのフォトトランジスタが接続される。この構成は通常のスイッチング電源と同じ構成であり、この構成により電源装置１の出力電圧は一定の電圧に保持されることになる。
【００１９】
上述のように、抵抗１３に流れる電流値が一定の電流値を超えるとコンパレータ５１の入力バランスが逆転し、その結果ＦＥＴ６１がオンになる。すると、分圧抵抗１５に対して補正用の抵抗６２が並列に接続されることになる。上記分圧点１６の基準電圧は分圧抵抗１４と分圧抵抗１５との比によって決まるが、ＦＥＴ６１のオンによって分圧抵抗１５に補正用の抵抗６２が並列に接続されることによって分圧点１６の電圧が下がり、その結果、コネクタ１２から出力される電圧が上昇する。
【００２０】
以上の構成であるから、ハーネス４が例えば１０ｍを超える長尺となり、ハーネス４での電圧降下が無視できない状態であっても、ハーネス４を流れる電流値が大きく、その結果電圧降下量も大きい場合には、自動的に電源装置１の出力電圧を所定の出力電圧より昇圧する補正を行う。また、ハーネス４を流れる電流値が小さく、ハーネス４での電圧降下流が小さく、昇圧補正を必要としない状態では、電源装置１の出力電圧は所定の出力電圧のままに保持されることになる。
【００２１】
以上の通りであるから、本発明によれば長尺のハーネス４を用いることができるようになる。ただし、上記実施の形態では、電流値が所定の電流値を超えた際に出力電圧を１段階昇圧する補正を行ったが、電流値の増加に伴って多段階、もしくは連続して昇圧する昇圧補正を行ってもよい。また、ハーネス４の寸法（抵抗値）を考慮して、電流に対する昇圧量を可変できるように構成してもよい。
【００２２】
なお、本発明は上記した形態に限定されるものではなく、本発明の要旨を逸脱しない範囲内において種々の変更を加えてもかまわない。
【符号の説明】
【００２３】
１  電源装置
２  モニタ部
３  チューナ部
４  ハーネス
５  電流検知部
６  昇圧補正部
１６  分圧点
１７  シャントレギュレータ
５１  コンパレータ
６１  ＦＥＴ
【図１】
2019004554.tif 000003
【図２】
2019004554.tif 000004